【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
高温ヒートポンプ中で加熱を生成するための方法であって、凝縮器中で、Ｚ−１，１，１，４，４，４−ヘキサフルオロ−２−ブテンを含む蒸気作動流体を凝縮し、それによって、液体作動流体を生成する工程を含み；前記高温ヒートポンプが、少なくとも約１００℃の凝縮器温度で動作する方法。
【請求項２】
高温ヒートポンプ装置中で、実行可能な最高凝縮器動作温度を上昇させる方法であって、Ｚ−１，１，１，４，４，４−ヘキサフルオロ−２−ブテンを含む作動流体を前記高温ヒートポンプに充填する工程を含む方法。
【請求項３】
（ａ）Ｚ−１，１，１，４，４，４−ヘキサフルオロ−２−ブテンと；
（ｂ）２−クロロプロパンと；（ｃ）少なくとも約１５０℃の温度で使用するのに好適な少なくとも１つの潤滑剤とを含む組成物であって；前記２−クロロプロパンが、前記Ｚ−１，１，１，４，４，４−ヘキサフルオロ−２−ブテンとの、共沸混合物または共沸様混合物の組合せを形成するのに有効な量で存在する組成物。
【請求項４】
Ｚ−１，１，１，４，４，４−ヘキサフルオロ−２−ブテンを含む作動流体を含有する高温ヒートポンプ装置であって；前記高温ヒートポンプが、蒸発器、圧縮機、凝縮器、および膨張デバイスを含み；前記高温ヒートポンプが、少なくとも約１００℃の凝縮器温度で動作する高温ヒートポンプ装置。
【手続補正２】
【補正対象書類名】明細書
【補正対象項目名】０１５３
【補正方法】変更
【補正の内容】
【０１５３】
ブレンドＡは、純粋なＺ−ＨＦＯ−１３３６ｍｚｚより大幅に高い加熱のエネルギー効率および体積当たりの加熱能力を有する。純粋なＺ−ＨＦＯ−１３３６ｍｚｚより高い、鉱油潤滑剤との相溶性を有することも予測される。ブレンドＡは、純粋な２−クロロプロパンより大幅に高い熱安定性および大幅に低い可燃性を有することも予測される。
なお、本発明は、特許請求の範囲を含め、以下の発明を包含する。
１．高温ヒートポンプ中で加熱を生成するための方法であって、凝縮器中で、Ｚ−１，１，１，４，４，４−ヘキサフルオロ−２−ブテンを含む蒸気作動流体を凝縮し、それによって、液体作動流体を生成する工程を含む方法。
２．伝熱媒体を、前記凝縮器に通過させ、それによって、作動流体の前記凝縮が、前記伝熱媒体を加熱する工程と、前記加熱された伝熱媒体を、前記凝縮器から加熱される物体へと送る工程とをさらに含む、１に記載の方法。
３．前記伝熱媒体が水であり、前記加熱される物体が水である、２に記載の方法。
４．前記伝熱媒体が水であり、前記加熱される物体が、暖房用の空気である、２に記載の方法。
５．前記伝熱媒体が、産業用の伝熱液体であり、前記加熱される物体が、化学プロセス流である、２に記載の方法。
６．動圧縮機（例えば軸流式または遠心圧縮機）あるいは容積式圧縮機（例えば往復式、スクリューまたはスクロール圧縮機）中で、前記作動流体蒸気を圧縮する工程をさらに含む、２に記載の方法。
７．加熱される流体を、前記凝縮器に通過させ、それによって、前記流体を加熱する工程をさらに含む、１に記載の方法。
８．前記流体が空気であり、前記凝縮器からの前記加熱される空気が、加熱される空間に送られる、７に記載の方法。
９．前記流体が、プロセス流の一部であり、前記加熱された部分が、前記プロセスに戻される、７に記載の方法。
１０．熱が、少なくとも２つの加熱段階間で交換され、
所定の凝縮温度で運転される加熱段階において作動流体中の熱を吸収する工程と、この熱を、より高い凝縮温度で運転される別の加熱段階の前記作動流体に伝達する工程とを含む方法であって；前記より高い凝縮温度で運転される前記加熱段階の前記作動流体が、Ｚ−１，１，１，４，４，４−ヘキサフルオロ−２−ブテンを含む、１に記載の方法。
１１．ＣＦＣ−１１４、ＨＦＣ−１３４ａ、ＨＦＣ−２３６ｆａ、ＨＦＣ−２４５ｆａ、ＣＦＣ−１１およびＨＣＦＣ−１２３からなる群から選択される第１の作動流体とともに使用するのに好適な高温ヒートポンプ装置における実行可能な最高凝縮器動作温度を、前記第１の作動流体がヒートポンプ作動流体として使用されるときの実行可能な最高凝縮器動作温度と比べて、上昇させる方法であって、Ｚ−１，１，１，４，４，４−ヘキサフルオロ−２−ブテンを含む作動流体を前記高温ヒートポンプに充填する工程を含む方法。
１２．前記実行可能な最高凝縮器動作温度が、約１２２℃を超える温度まで上昇される、１１に記載の方法。
１３．（ａ）Ｚ−１，１，１，４，４，４−ヘキサフルオロ−２−ブテンと；
（ｂ）２−クロロプロパンと；（ｃ）少なくとも約１５０℃の温度で使用するのに好適な少なくとも１つの潤滑剤とを含む組成物であって；前記２−クロロプロパンが、前記Ｚ−１，１，１，４，４，４−ヘキサフルオロ−２−ブテンとの、共沸混合物または共沸様混合物の組合せを形成するのに有効な量で存在する組成物。
１４．Ｚ−１，１，１，４，４，４−ヘキサフルオロ−２−ブテンを含む作動流体を含有する高温ヒートポンプ装置。
１５．動圧縮機（例えば軸流式または遠心圧縮機）あるいは容積式圧縮機（例えば往復式、スクリューまたはスクロール圧縮機）を含む、１４に記載の高温ヒートポンプ装置。
１６．各段階がそれを通して作動流体を循環させる、カスケード加熱システムとして構成される少なくとも２つの加熱段階を有する高温ヒートポンプ装置であって、熱が、前の段階から最終段階へと伝達され、前記最終段階の前記加熱流体が、Ｚ−１，１，１，４，４，４−ヘキサフルオロ−２−ブテンを含む、１４に記載の高温ヒートポンプ装置。
１７．各段階がそれを通して作動流体を循環させる、カスケード加熱システムとして構成される少なくとも２つの加熱段階を有する高温ヒートポンプ装置であって：
（ａ）第１の作動流体液体の圧力および温度を低下させるための第１の膨張デバイスと；
（ｂ）入口および出口を有する蒸発器であって、前記第１の膨張デバイスからの前記第１の作動流体液体が、前記蒸発器入口を通って前記蒸発器に入り、前記蒸発器中で蒸発されて、第１の作動流体蒸気が形成され、前記出口へと循環する蒸発器と；
（ｃ）入口および出口を有する第１の圧縮機であって、前記蒸発器からの前記第１の作動流体蒸気が、前記第１の圧縮機の前記入口へと循環し、圧縮され、それによって、前記第１の作動流体蒸気の圧力および温度が上昇され、前記圧縮された第１の冷媒蒸気が、前記第１の圧縮機の前記出口へと循環する第１の圧縮機と；
（ｄ）以下のもの：
（ｉ）第１の入口および第１の出口であって、前記第１の作動流体蒸気が、前記第１の入口から前記第１の出口へと循環し、前記熱交換器システム中で凝縮されて、第１の作動流体液体が形成され、それによって、熱を放出する第１の入口および第１の出口、ならびに
（ｉｉ）第２の入口および第２の出口であって、第２の作動流体液体が、前記第２の入口から前記第２の出口へと循環し、前記第１の作動流体によって放出される前記熱を吸収し、第２の作動流体蒸気を形成する第２の入口および第２の出口
を有するカスケード熱交換器システムと；
（ｅ）入口および出口を有する第２の圧縮機であって、前記カスケード熱交換器システムからの前記第２の作動流体蒸気が、前記圧縮機に吸い込まれ、圧縮され、それによって、前記第２の作動流体蒸気の圧力および温度が上昇される第２の圧縮機と；
（ｆ）前記第２の作動流体蒸気を循環させるための入口および出口を有し、前記第２の圧縮機からの前記第２の作動流体蒸気を凝縮して、第２の作動流体液体を形成し、それによって、熱を生成するための凝縮器であって、前記第２の作動流体液体が、前記出口を通って前記凝縮器を出る凝縮器と；
（ｇ）前記凝縮器を出て、前記カスケード熱交換器システムの前記第２の入口に入る前記第２の作動流体液体の圧力および温度を低下させるための第２の膨張デバイスと
を含み；
前記第２の作動流体が、Ｚ−１，１，１，４，４，４−ヘキサフルオロ−２−ブテンを含む、１４に記載の高温ヒートポンプ装置。
１８．前記第１の作動流体が、ＨＦＯ−１２３４ｙｆおよびＥ−ＨＦＯ−１２３４ｚｅからなる群から選択される少なくとも１つのフルオロオレフィンを含む、１７に記載の高温ヒートポンプ装置。
１９．前記第１の作動流体が、ＨＦＣ−３２、ＨＦＣ−１３４ａ、ＨＦＣ−１３４およびＨＦＣ−２２７ｅａからなる群から選択される少なくとも１つのフルオロアルカンを含む、１７に記載の高温ヒートポンプ装置。
２０．前記第１の作動流体が、
ＨＦＣ−３２、
ＨＦＯ−１２３４ｙｆ／ＨＦＣ−３２
ＨＦＯ−１２３４ｙｆ／ＨＦＣ−１３４ａ、
ＨＦＯ−１２３４ｙｆ／ＨＦＣ−１３４、
ＨＦＯ−１２３４ｙｆ／ＨＦＣ−１３４ａ／ＨＦＣ−１３４、
Ｅ−ＨＦＯ−１２３４ｚｅ／ＨＦＣ−１３４ａ、
Ｅ−ＨＦＯ−１２３４ｚｅ／ＨＦＣ−１３４、
Ｅ−ＨＦＯ−１２３４ｚｅ／ＨＦＣ−１３４ａ／ＨＦＣ−１３４、
Ｅ−ＨＦＯ−１２３４ｚｅ／ＨＦＣ−２２７ｅａ、
Ｅ−ＨＦＯ−１２３４ｚｅ／ＨＦＣ−１３４／ＨＦＣ−２２７ｅａ、
Ｅ−ＨＦＯ−１２３４ｚｅ／ＨＦＣ−１３４／ＨＦＣ−１３４ａ／ＨＦＣ−２２７ｅａ、および
ＨＦＯ−１２３４ｙｆ／Ｅ−ＨＦＯ−１２３４ｚｅ／ＨＦＣ−１３４／ＨＦＣ−１３４ａ／ＨＦＣ−２２７ｅａ
からなる組成物の群から選択される、１８に記載の高温ヒートポンプ装置。
２１．前記最終段階の前の段階の前記作動流体が、ＨＦＯ−１２３４ｙｆおよびＥ−ＨＦＯ−１２３４ｚｅからなる群から選択される少なくとも１つのフルオロオレフィンを含む、１６に記載の高温ヒートポンプ装置。
２２．前記最終段階の前の段階の前記作動流体が、ＨＦＣ−３２、ＨＦＣ−１３４ａ、ＨＦＣ−１３４およびＨＦＣ−２２７ｅａからなる群から選択される少なくとも１つのフルオロアルカンを含む、１６に記載の高温ヒートポンプ装置。